(57)【要約】【課題】  体の向きを換えることなく全身浴と半身浴の両方を行うことができる半身浴用ステップを備えた浴槽を提供する。【解決手段】  半身浴用のステップを備えた浴槽であって、浴槽底面と平行して浴槽の短辺に備えられた半身浴用ステップと、浴槽底面と半身浴ステップをつなぐ緩やかな傾斜で形成された面と、半身浴ステップからほぼ垂直にたちあげられた面と、そのほぼ垂直な面と浴槽リムとを浴槽底面と半身浴ステップをつなぐ緩やかな傾斜とほぼ同じ角度で形成された面と、浴槽底面とほぼ平行なリム面と、を有することを特徴とするリラックス浴槽を提供する。【選択図】  図１
2008212405.tif 000002
【特許請求の範囲】
【請求項１】
半身浴用のステップを備えた浴槽であって、浴槽底面より上方であり、且つ前記浴槽底面と平行して浴槽の短辺側に寄せた位置に備えられた半身浴用ステップ面と、前記浴槽底面および前記半身浴用ステップ面より上方であり、且つほぼ平行に配置されたリム面と、前記浴槽底面と前記半身浴ステップ面とをつなぐ緩やかな傾斜で形成された第一の傾斜面と、前記半身浴ステップ面からほぼ垂直にたちあげられた立ち上がり面と、前記立ち上がり面と前記浴槽リム面とをつなぎ、前記浴槽底面と前記半身浴ステップ面とをつなぐ第一の傾斜面とほぼ平行に形成された第二の傾斜面とを有することを特徴とする浴槽。
【請求項２】
前記第一の傾斜面と前記第二の傾斜面はほぼ同一延長平面上に配置されていることを特徴とする請求項１記載の浴槽。
【請求項３】
前記第二の傾斜面は、平面部を有することを特徴とする請求項１または２記載の浴槽。
【請求項４】
前記第一の傾斜部にはすべり止め用の凹凸が形成されていることを特徴とする請求項１乃至３のいずれかに記載の浴槽。
【請求項５】
前記浴槽底面の中央より前記第一の傾斜面と接する端部とは逆側に浴槽内の水を排水するための排水口を備えたことを特徴とする請求項１乃至４のいずれかに記載の浴槽。
【請求項６】
前記第二の傾斜面にヘッドレストを備えたことを特徴とする請求項１乃至５のいずれかに記載の浴槽。
【請求項７】
前記ヘッドレストは浴槽リム上面より上方に突出しないことを特徴とする請求項６記載の浴槽。
【請求項８】
前記浴槽が浴槽短辺で対称に浴槽短辺に前記第一の傾斜面と前記第二の傾斜面と半身浴用ステップ面を有することを特徴とする請求項１乃至７のいずれかに記載の浴槽。
【発明の詳細な説明】
【技術分野】
【０００１】
本発明は、半身浴ステップを備えた浴槽に関する。
【背景技術】
【０００２】
従来の半身浴ステップを備えた浴槽は、例えば  浴槽短辺の一方を全身浴の時の背もたれ部、もう一方を半身浴の時に使用するステップ部となっている。
もしくは、浴槽短辺の一方を全身浴の時の背もたれ部、もう一方には浴槽内側長辺（短辺寄り）の２ヶ所の支え部を有し、ボード（腰掛部）が取り付けられるようになっている。
【０００３】
【特許文献１】特開２０００−２７９３３６号公報
【特許文献２】特開平１１−０５６６６２号公報
【発明の開示】
【発明が解決しようとする課題】
【０００４】
しかしながら、上述した従来の半身浴ステップを備えた浴槽は、全身浴と半身浴をする場合では、対極側の浴槽短辺を使用することとなり、都度体の向きを変更せねばならず、一方の体勢においては、浴室テレビが見にくい位置に取り付けられたり、機能商品に付属するリモコンが使用しづらい位置に取り付けられたり、追焚アダプタの設置位置を使用勝手によらずに決定されてしまうなどの問題がある。
【０００５】
そこで、本発明は、上述した従来技術の問題を解決するためになされたものであり、体の向きを換えることなく全身浴と半身浴の両方を可能とする半身浴ステップを備えた浴槽を提供することを目的としている。
【課題を解決するための手段】
【０００６】
本発明は、半身浴用のステップを備えた浴槽であって、浴槽底面より上方であり、且つ前記浴槽底面と平行して浴槽の短辺側に寄せた位置に備えられた半身浴用ステップ面と、前記浴槽底面および前記半身浴用ステップ面より上方であり、且つほぼ平行に配置されたリム面と、前記浴槽底面と前記半身浴ステップ面とをつなぐ緩やかな傾斜で形成された第一の傾斜面と、前記半身浴ステップ面からほぼ垂直にたちあげられた立ち上がり面と、前記立ち上がり面と前記浴槽リム面とをつなぎ、前記浴槽底面と前記半身浴ステップ面とをつなぐ第一の傾斜面とほぼ平行に形成された第二の傾斜面とを有することを特徴としている。
このように構成された本発明の半身浴用のステップを備えた浴槽においては、半身浴用ステップと全身浴の時に背あたり部となる傾斜のある浴槽面が、浴槽短辺の同一辺上にあることによって、体の向きを換えることなく全身浴と半身浴の両方を行うことができる。
【発明の効果】
【０００７】
本発明の半身浴用のステップを備えた浴槽によれば、体の向きを換えることなく全身浴と半身浴の両方を行うことができる。
【発明を実施するための最良の形態】
【０００８】
以下、添付図面を参照して本発明の半身浴用ステップを備えた浴槽の実施形態について説明する。
【０００９】
図１は、本発明の第１実施形態による半身浴用ステップを備えた浴槽を示す平面図である。また図２は図１のＡ−Ａ断面図である。
【００１０】
図１〜２に示すように、本実施形態の半身浴用ステップを備えた浴槽１は、浴槽内の最底面となる浴槽底部２、浴槽底部より上方であり、浴槽底部と略平行に配置された半身浴用ステップ面４、半身浴ステップ面４の端部から鉛直方向上方に立ち上げられた半身浴時の背もたれ部５（立ち上がり面）、浴槽の周縁であり浴槽の最上面となる浴槽リム７、浴槽底部２と半身浴ステップ面４とをつなぎ緩やかな傾斜面で形成された全身浴時の背もたれ部にあたる第一の傾斜面３と、立ち上がり面５と浴槽リムをつなぎ、第一の傾斜面３と略平行且つ同一延長直線上に配置された半身浴時の首載せ部となる第二の傾斜面６と、浴槽底部２、半身浴ステップ面４に凹凸状に形成された滑り止め８によって構成されている。また、浴槽底部２の第一の傾斜面３側近傍には浴槽内の水を外部に排出するための排水口９が設けられている。
【００１１】
また、半身浴ステップ８と逆側の短辺は浴槽底部２からわずかに傾斜した立ち上がり面１０を有して浴槽リム７と繋がっている。ここで、浴槽底面２とわずかに傾斜した立ち上がり面１０および立ち上がり面１０と浴槽リム７の接続部は曲面状に結ばれている。
【００１２】
なお、第一の傾斜面３、第二の傾斜面６は、ほぼ同じ傾斜角度（１２５度〜１４０度が好ましい）をもつが、従来の浴槽よりもゆるやかな傾斜であり、全身浴時に浴槽リム７に頭部もたれかかせた状態でも、頭部が後方へ倒れすぎないため首への負担も少ない。浴室テレビを観る場合も同様で、無理のない姿勢で観ることが可能になっている。
【００１３】
図３は、本発明の第２実施形態による半身浴用ステップを備えた浴槽を示す平面図である。従来の浴槽では、臀部は浴槽底部２で支えられているため、滑り止め８は浴槽底部２と半身浴用ステップ面４にしか設置されていなかったが、本発明においては浴槽底部２と第一の傾斜面３によって臀部を支えるため、背もたれ部３にも滑り止め８を設置したことで、安全に全身浴をすることが可能になっている。
【００１４】
図４は、本発明の第３実施形態による半身浴用ステップを備えた浴槽を示す平面図である。従来の浴槽では排水口９が浴槽底部２の中央につけられていることが多いが、本発明においては半身浴および全身浴時の座り位置が浴槽の片側に固定されるため、それと反対側に排水口１２を配することで入浴時の不快感やワンプッシュ排水栓の上を踏むことによる作動不良の要因を削減することができる。
【００１５】
図５は、本発明の第４実施形態による半身浴用ステップを備えた浴槽を示す平面図である。図６は第４実施形態との違いを明らかにするため、従来の浴槽と追焚アダプタの位置関係を示した断面図である。従来の半身浴用ステップを備えた浴槽に追焚等のアダプタ１４を設置する場合、半身浴用ステップ１５と浴槽底部１６の接続部が曲面状に結ばれた面に取り付けられることが多かった。半身浴用ステップ１５の使用方法はいくつかあるが、半身浴をするときのみならず、小さい子供を入浴させる時に半身浴用ステップに座らせることも多い。その場合、入浴した状態で追焚を作動させると火傷する危険が生じる。本発明においては、半身浴および全身浴時の座り位置が浴槽の片側に固定されるため、それと反対側に追焚アダプタ１３を取り付けることによって、誰もが安全に入浴することが可能になっている。
【００１６】
図７は、本発明の第５形態による半身浴用ステップを備えた浴槽を示す断面図である。
浴槽底部２と第一の傾斜部３の角度を１３５°に設定し、半身浴ステップ面４の端部から鉛直方向上方に立ち上げられた半身浴時の背もたれ部５と浴槽リム７とを結ぶ面６をＲ９０〜１１０で形成することで、浴槽リムより上面にヘッドレストを突出させることなく、ヘッドレストと同じ効果を背当り部６によって得ることが可能となる。これにより、通常ヘッドレストを有する浴槽の風呂蓋において発生する、風呂蓋を切り欠いたり、凹ませるといった加工をせずに、安価なふろふたで対応することが可能となる。
【００１７】
図８は、本発明の第６形態による半身浴用ステップを備えた浴槽の平面図である。また図９は図８のＢ−Ｂ断面図である。図８〜９に示すように本実施形態の浴槽１は、第二の傾斜部６にヘッドレスト１７を備えている。第一の傾斜部３と第二の傾斜部６にもたれかかり、頭をヘッドレスト１７にのせて入浴することができる。浴室テレビを観る場合や長時間の入浴でも、頸部に無理な負担をかけず、リラックスした姿勢での入浴が可能となる。
【００１８】
図１０は、本発明の第７形態による半身浴用ステップを備えた浴槽を示す断面図である。図１１は第７実施形態との違いを明らかにするため、従来のヘッドレスト付浴槽と風呂蓋の形状及び位置関係を示した斜視図である。従来はヘッドレスト１９を浴槽に載置する場合、浴槽リム２０の上に載置されることが多く、風呂蓋２１はヘッドレストとの干渉を避けるために、切り欠かかれた形状でなければならなかった。本実施形態の浴槽１では、第二の傾斜部６にヘッドレスト１８を備えており、このヘッドレスト１８は浴槽リム７の上面より上方に突出していないため、ヘッドレストの機能を十分に満たしながらも、風呂蓋を切り欠くことなく、隙間なく風呂蓋を載置することが可能となる。
【００１９】
図１２は、本発明の第８形態による半身浴用ステップを備えた浴槽を示す断面図である。半身浴用ステップ面４、半身浴ステップ面４の端部から鉛直方向上方に立ち上げられた半身浴時の背もたれ部５、第一の傾斜部３、第二の傾斜部６を浴槽短辺の両側で対称に備えている。浴槽底部２の中心には浴槽内の水を外部に排出するための排水口２２が設けられている。従来の半身浴用ステップを備えた浴槽では、２人で向かい合って入浴した場合、一方が半身浴、もう一方が全身浴の形態を強いられていたが、浴槽短辺の両側で対称に半身浴用ステップ４と第一の傾斜部３と第二の傾斜部６を備えた浴槽では、二人で向かい合って入浴した場合でも、それぞれが半身浴、全身浴のいずれも自由な入浴形態をとることが可能となる。
【図面の簡単な説明】
【００２０】
【図１】本発明の第１実施形態による半身浴用ステップを備えた浴槽を示す平面図である。
【図２】図１のＡ−Ａ断面図である。
【図３】本発明の第２実施形態による半身浴用ステップを備えた浴槽を示す平面図である。
【図４】本発明の第３実施形態による半身浴用ステップを備えた浴槽を示す平面図である。
【図５】本発明の第４実施形態による半身浴用ステップを備えた浴槽を示す平面図である。
【図６】第４実施形態との違いを明らかにするため、従来の浴槽と追焚アダプタの位置関係を示した断面図である。
【図７】本発明の第５形態による半身浴用ステップを備えた浴槽を示す断面図である。
【図８】本発明の第６形態による半身浴用ステップとヘッドレストを備えた浴槽を示す平面図である。
【図９】図８のＢ−Ｂ断面図である。
【図１０】本発明の第７形態による半身浴用ステップとヘッドレストを備えた浴槽を示す断面図である。
【図１１】第７実施形態との違いを明らかにするため、従来のヘッドレスト付浴槽と風呂蓋の形状及び位置関係を示した斜視図である。
【図１２】本発明の第８形態による半身浴用ステップを左右対称に備えた浴槽を示す平面図である。
【符号の説明】
【００２１】
１…半身浴用ステップを備えた浴槽
２…浴槽底部
３…全身浴時の背もたれ部
４…半身浴用ステップ面
５…半身浴時の背もたれ部
６…３とほぼ同じ傾斜をもつ背もたれ部
７…浴槽リム
８…滑り止め
９…排水口
１０…半身浴用ステップと逆側の背もたれ部
１１…傾斜部の滑り止め
１２…排水口
１３…追焚アダプタ
１４…追焚アダプタ
１５…半身浴用ステップ
１６…浴槽底部
１７…ヘッドレスト
１８…ヘッドレスト
１９…ヘッドレスト
２０…浴槽リム
２１…切欠き付風呂蓋
２２…排水口
【図１】
2008212405.tif 000003
【図２】
2008212405.tif 000004
【図３】
2008212405.tif 000005
【図４】
2008212405.tif 000006
【図５】
2008212405.tif 000007
【図６】
2008212405.tif 000008
【図７】
2008212405.tif 000009
【図８】
2008212405.tif 000010
【図９】
2008212405.tif 000011
【図１０】
2008212405.tif 000012
【図１１】
2008212405.tif 000013
【図１２】
2008212405.tif 000014